Podtech/llm-jp-corpus-v4-ja_patent huggingface dataset:
【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
モデル内の変数の最良値を選択する方法において、ａ、  許容差を有する入力変数を含むモデルと、該許容差より大きな初期量を有するステップと、目標を有する出力特性と、を指定するステップと、ｂ、  出力特性に到達するように、選択された値に変えらる入力変数セットで該モデルを実行するステップと、  ｃ、  第二の出力特性に達成するように、該ステップにより変更された該選択された値に変えられる入力変数セットで該モデルを実行するステップと、ｄ、  該目標により近い出力特性を得るように入力変数値を選択するステップと、ｅ、  該選択された入力変数値がステップｄにより変更されなければ、該ステップを縮小するステップと、ｆ、  該ステップが該許容差になるまで、ステップｃからｅを繰り返すステップと、  を備えた方法。
【請求項２】
前記ステップが、最初に前記許容差よいり小さくなるときに、該ステップは該許容差に到達する請求項１に記載の方法。
【請求項３】
前記ステップが、該ステップが前記許容差と等しいときに、該ステップは該許容差に到達する請求項１に記載の方法。
【請求項４】
前記次の縮小が前記ステップを前記許容差より小さくする請求項１に記載の方法。
【請求項５】
前記次の縮小が前記ステップを前記許容差と等しくする請求項１に記載の方法。
【請求項６】
前記ステップが前記許容差より小さく縮小されないならば、該ステップを該許容差と等しく設定するステップを更に含む請求項１に記載の方法。
【請求項７】
前記モデルが、目標と１つの許容差を加えたものにより適合する出力特性を得る入力変数値で以前に実行されていないばあいは、該モデルが終了する以前に目標と１つの許容差の和により適合する出力特性を得る入力変数値で該モデルを実行するステップと、  前記モデルが、目標と１つの許容差の差により適合する出力特性を得る入力変数値で先に実行されていないばあいは、該モデルが終了する以前に目標と１つの許容差の先により適合する出力特性を得る入力変数値で該モデルを実行するステップと、  を更に備える請求項１に記載の方法。
【請求項８】
前記選択された入力変数が前記選択された値にセットされた時に生じる出力特性と、前記選択された入力変数が前記ステップにより変更された該選択された値にセットされた時に生じる出力特性が同じであるばあいには該選択された入力変数値を選択するステップをさらに含む請求項１に記載の方法。
【請求項９】
前記選択された入力変数が前記選択された値にセットされた時に生じる出力特性と、前記選択された入力変数が前記ステップにより変更された該選択された値にセットされた時に生じる出力特性が同じであるばあいには、ステップにより変更された入力変数値を選択するステップをさらに含む請求項１に記載の方法。
【請求項１０】
前記選択された入力変数値が前記ステップｄで変更されないばあいには、前記ステップを変更しないステップをさらに含む請求項１に記載の方法。
【請求項１１】
前記目標により適合した出力特性が、該目標の予め規定された値により一致する出力特性である請求項１に記載の方法。
【請求項１２】
前記目標により適合した出力特性が、最大値を有する出力特性である請求項１に記載の方法。
【請求項１３】
前記目標により適合した出力特性が、最小値を有する出力特性である請求項１に記載の方法。
【請求項１４】
前記ステップによる変更が、前記選択された値から該ステップを引き算するステップを含む請求項１に記載の方法。
【請求項１５】
前記ステップによる変更が、前記選択された値に該ステップを加算するステップを含む請求項１に記載の方法。
【請求項１６】
前記ステップにより変更された選択された値に変更できる入力変更セットで前記モデルを実行するステップが、該セットと該選択された値との和に変更できる入力変数セットで該モデルを実行するステップと、該ステップが減算された該選択された値に変更できる入力変更セットで該モデルを実行するステップと、を含む請求項１に記載の方法。
【請求項１７】
前記ステップが、前記許容差の整数倍である請求項１に記載の方法。
【請求項１８】
最適化が行われない変数より下の下限をセットするステップを更に備える請求項１に記載の方法。
【請求項１９】
最適化が行われない変数より上の上限をセットするステップを更に備える請求項１に記載の方法。
【請求項２０】
前記方法がプロッセで実施される請求項１に記載の方法。
【請求項２１】
前記モデルが、装置、プロセスに関連する装置、および科学プロセスの少なくとも一つのモデルである請求項１に記載の方法。
【請求項２２】
プロセッサにより実施されるときに、プロセッサに以下のことを実行させる命令を含むプロセッサ、ａ、  許容差を有する入力変数を含むモデルと、該許容差より大きな初期量を有するステップと、目標を有する出力特性と、を指定するステップと、ｂ、  出力特性に到達するように、選択された値に変えらる入力変数セットで該モデルを実行するステップと、  ｃ、  第二の出力特性に達成するように、該ステップにより変更された該選択された値に変えられる入力変数セットで該モデルを実行するステップと、ｄ、  該目標により適合する出力特性を得るように入力変数値を選択するステップと、ｅ、  該選択された入力変数値がステップｄにより変更されなければ、該ステップを縮小するステップと、ｆ、  該ステップが該許容差になるまで、ステップｃからｅを繰り返すステップと、  を備えたプロセッサ。
【請求項２３】
選択された出力特性値と選択された出力特性を得られる変数値の少なくとも１つが、記憶装置に記憶された請求項２２に記載のプロセッサ。
【請求項２４】
前記目標により適合した出力特性が、該目標の予め規定された値により一致する出力特性である請求２２に記載のプロセッサ。
【請求項２５】
前記モデルが、装置、プロセスに関連する装置、および科学プロセスの少なくとも一つのモデルである請求項２２に記載のプロセッサ。
【請求項２６】
プロセッサが実行されるときに、以下のことをプロセッサに実行させる命令を含むコンピュータに読取可能な媒体、ａ、  許容差を有する入力変数を含むモデルと、該許容差より大きな初期量を有するステップと、目標を有する出力特性と、を指定するステップと、ｂ、  出力特性に到達するように、選択された値に変えらる入力変数セットで該モデルを実行するステップと、  ｃ、  第二の出力特性に達成するように、該ステップにより変更された該選択された値に変えられる入力変数セットで該モデルを実行するステップと、ｄ、  該目標により適合した出力特性を得るように入力変数値を選択するステップと、ｅ、  該選択された入力変数値がステップｄにより変更されなければ、該ステップを縮小するステップと、ｆ、  該ステップが該許容差になるまで、ステップｃからｅを繰り返すステップと、  を備えた媒体。
【請求項２７】
前記目標により適合した出力特性が、該目標の予め規定された値により一致する出力特性である請求項２６に記載の方法。
【請求項２８】
前記モデルが、装置、プロセスに関連する装置、および科学プロセスの少なくとも一つのモデルである請求項２７に記載の媒体。
【手続補正書】
【提出日】平成17年11月29日(2005.11.29)
【手続補正１】
【補正対象書類名】特許請求の範囲
【補正対象項目名】全文
【補正方法】変更
【補正の内容】
【特許請求の範囲】
【請求項１】
表１〜１０に概説された配列からなる群から選択されたヌクレオチド配列を含む、組換え核酸。
【請求項２】
請求項１に記載の組換え核酸を含む、宿主細胞。
【請求項３】
請求項２に記載の組換え核酸を含む、発現ベクター。
【請求項４】
請求項３に記載の発現ベクターを含む、宿主細胞。
【請求項５】
表１〜１０に概説された配列からなる群から選択された配列を含む、核酸配列によりコードされたアミノ酸配列を含む、組換えタンパク質。
【請求項６】
薬剤候補をスクリーニングする方法であって、該方法は、以下：
ａ）表１〜１０に概説された配列またはそのフラグメントからなる群より選択された核酸配列を含む、癌関連性（ＣＡ）遺伝子を発現する細胞を提供する工程；
ｂ）薬剤候補を該細胞に添加する工程；および
ｃ）該ＣＡ遺伝子の発現における該薬剤候補の効果を決定する工程、
を包含する、方法。
【請求項７】
前記決定する工程は、前記薬剤候補の非存在下における発現レベルと、該薬剤候補の存在下における発現レベルの比較を包含する、請求項６に記載の方法。
【請求項８】
ＣＡタンパク質（ＣＡＰ）に結合し得る生物活性因子をスクリーニングする方法であって、該ＣＡＰは、表１〜１０に概説された配列からなる群より選択された核酸配列を含む核酸によりコードされ、該方法は、以下：
ａ）該ＣＡＰおよび候補生物活性因子を合わせる工程；および
ｂ）該候補因子と該ＣＡＰとの結合を決定する工程、
を包含する、方法。
【請求項９】
ＣＡタンパク質（ＣＡＰ）の活性を調節し得る生物活性因子をスクリーニングする方法であって、該ＣＡＰは、表１〜１０に概説された配列からなる群から選択された核酸配列を含む核酸によりコードされ、該方法は、以下：
ａ）該ＣＡＰおよび候補生物活性因子を合わせる工程；および
ｂ）該ＣＡＰの該生物活性における該候補因子の効果を決定する工程、
を包含する、方法。
【請求項１０】
候補癌薬剤の効果を評価するためのキットであって、該キットは、以下：
ａ）患者に該薬剤を投与するための手段；
ｂ）該患者から細胞サンプルを取り出すための手段；および
ｃ）表１〜１０に概説された配列からなる群より選択された核酸配列を含む、遺伝子の発現または活性の変化を決定するための手段、
を備える、キット。
【請求項１１】
癌腫を診断するためのシステムであって、該システムは、以下：
ａ）第１の個体の第１の組織型における、表１〜１０に概説された配列からなる群より選択された核酸配列を含む、一つ以上の遺伝子の発現を決定するための手段；および
ｂ）該遺伝子の発現と該第１の個体に由来する第２の正常な組織型または第２の罹患していない個体に由来する正常な組織型とを比較するための手段；
を備え、
該発現の相違は、該第１の個体が癌腫を有することを表す、システム。
【請求項１２】
ＣＡタンパク質（ＣＡＰ）の活性を阻害する方法であって、該ＣＡＰは、表１〜１０に概説された前記配列からなる群より選択された核酸配列を含む核酸によりコードされ、該方法は、阻害因子と該ＣＡＰとを結合させる工程を包含する、方法。
【請求項１３】
ＣＡタンパク質（ＣＡＰ）の阻害因子を含む、癌腫を処置するための薬学的組成物であって、該ＣＡＰは、表１〜１０に概説された配列からなる群から選択された核酸配列を含む核酸によってコードされる、薬学的組成物。
【請求項１４】
ＣＡタンパク質（ＣＡＰ）の効果を中和する方法であって、該ＣＡＰは、表１〜１０に概説された配列からなる群から選択された核酸配列を含む核酸によりコードされ、該方法は、中和をもたらすのに十分な量で該ＣＡＰタンパク質と該ＣＡＰタンパク質に特異的な因子とを接触させる工程を包含する、方法。
【請求項１５】
表１〜１０に概説された配列からなる群から選択された核酸配列を含む核酸によりコードされたタンパク質と特異的に結合するポリペプチド。
【請求項１６】
表１〜１０に概説された配列からなる群より選択された核酸配列を含む核酸によりコードされたタンパク質と特異的に結合する抗体を含む、請求項１５に記載のポリペプチド。
【請求項１７】
表１〜１０に概説された配列またはそれらのフラグメントの核酸からなる群より選択された、一つ以上の核酸セグメントを含む、バイオチップ。
【請求項１８】
個体の少なくとも一つのＣＡ遺伝子を配列決定する手段を備える、癌腫または癌腫の性質を診断するためのシステムであって、該遺伝子の配列決定は、癌を示すかまたは癌の傾向を示す、システム。
【請求項１９】
ハイブリダイゼーションに適した条件下で、ゲノムＤＮＡサンプルに対する投与のために処方されるＣＡ遺伝子プローブを含む、ＣＡ遺伝子コピー数を決定するためのキット。
【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
ＧＡＶＥ７（配列番号１）またはＧＡＶＥ７の変種のヌクレオチド配列を含む単離核酸。
【請求項２】
配列番号２のアミノ酸配列を有するＧＡＶＥ７ポリペプチドをコードする配列を含む単離核酸。
【請求項３】
ＲＮＡ、ゲノムＤＮＡ、合成ＤＮＡおよびｃＤＮＡから成る群から選択された請求項１に記載の核酸。
【請求項４】
ＧＡＶＥ７（配列番号１）のヌクレオチド配列の対立遺伝子変種を含む単離核酸。
【請求項５】
変種が付加、欠失または置換変異体をコードする請求項１に記載の単離核酸。
【請求項６】
配列内に機能が同等な少なくとも１個のアミノ酸残基をもたらす置換変異体をコードする請求項５に記載の核酸。
【請求項７】
配列番号１に相補的であるか、または配列番号２をコードする核酸に相補的で、配列番号１の断片または配列番号２をコードする核酸の断片を含むハイブリダイゼーションプローブに厳密な条件下でハイブリダイズする配列を含む単離核酸。
【請求項８】
アミノ酸配列が配列番号２と少なくとも３０％同一であるポリペプチドをコードする配列を含む単離核酸。
【請求項９】
アミノ酸配列が配列番号２を含む精製ポリペプチド。
【請求項１０】
配列番号２で示したような第３の細胞内ループを含む精製ポリペプチド。
【請求項１１】
発現調節領域に作動可能に結合した請求項１に記載の核酸を含む発現ベクター。
【請求項１２】
発現調節領域が構成的、細胞特異的および誘導性調節配列から成る群から選択された請求項１１に記載の発現ベクター。
【請求項１３】
請求項１１に記載のベクターを含む培養細胞。
【請求項１４】
発現調節領域に作動可能に結合した請求項１に記載の核酸を含む培養細胞。
【請求項１５】
請求項１１に記載のベクターを構成する核酸によってコードされたポリペプチドを発現する、該ベクターで形質移入もしくは形質転換された培養細胞またはこの細胞の子孫。
【請求項１６】
真核細胞および原核細胞から成る群から選択された請求項１３に記載の培養細胞。
【請求項１７】
ベクターを構成する核酸によってコードされるポリペプチドの発現を可能にする条件下で、請求項１３に記載の細胞を培養することを含む蛋白質の産生方法。
【請求項１８】
ＧＡＶＥ７に特異的に結合する抗体。
【請求項１９】
モノクローナル抗体またはポリクローナル抗体である請求項１８に記載の抗体。
【請求項２０】
ＧＡＶＥ７のアゴニスト、アンタゴニストまたは逆アゴニストを含む、患者のＧＡＶＥ７シグナル伝達活性またはシグナル伝達を調節する医薬。
【請求項２１】
潜在的アゴニストをＧＡＶＥ７を発現する細胞と接触させること、および該潜在的アゴニストの存在下におけるＧＡＶＥ７のシグナル伝達活性が、該潜在的アゴニストの不在下におけるＧＡＶＥ７の活性に対して増加しているか否かを測定することを含むＧＡＶＥ７のアゴニストの同定方法。
【請求項２２】
潜在的逆アゴニストをＧＡＶＥ７を発現する細胞と接触させること、および該潜在的逆アゴニストの存在下におけるＧＡＶＥ７の活性が、該潜在的逆アゴニスト不在下におけるＧＡＶＥ７の活性に対して減少しているか否か、および内在性リガンドまたはアゴニストの存在下におけるＧＡＶＥ７の活性に対して減少しているか否かを測定することを含むＧＡＶＥ７の逆アゴニストの同定方法。
【請求項２３】
潜在的アンタゴニストをＧＡＶＥ７を発現する細胞と接触させること、および該潜在的アンタゴニストの存在下におけるＧＡＶＥ７のシグナル伝達活性が、内在性リガンドまたはアゴニストの存在下におけるＧＡＶＥ７の活性に対して減少しているか否かを測定することを含むＧＡＶＥ７のアンタゴニストの同定方法。
【請求項２４】
ＧＡＶＥ７シグナル伝達活性またはシグナル伝達を調節できるＧＡＶＥ７のアゴニスト、アンタゴニストまたは逆アゴニストを含む治療組成物。
【手続補正書】
【提出日】平成17年12月8日(2005.12.8)
【手続補正１】
【補正対象書類名】特許請求の範囲
【補正対象項目名】全文
【補正方法】変更
【補正の内容】
【特許請求の範囲】
【請求項１】
心血管障害を処置し得る候補化合物を同定するための方法であって、以下：
ｉ）以下：
ａ）配列番号３、配列番号６または配列番号９のアミノ酸配列と少なくとも９５％同一なアミノ酸配列を含むポリペプチド；
ｂ）配列番号１、配列番号２、配列番号４、配列番号５、配列番号７または配列番号８のヌクレオチド配列を含む核酸と少なくとも９５％同一なヌクレオチド配列を含む核酸分子によりコードされるポリペプチド；
ｃ）配列番号３、配列番号６または配列番号９のアミノ酸配列を含むポリペプチド；および
ｄ）配列番号１、配列番号２、配列番号４、配列番号５、配列番号７または配列番号８に示されるヌクレオチド配列によりコードされるポリペプチド
からなる群より選択されるポリペプチドを含有するサンプルと試験化合物とを、該化合物の該ポリペプチドへの結合に適切な条件下で合わせる工程；ならびに
ｉｉ）該試験化合物の該ポリペプチドへの結合を検出して、それによって、該ポリペプチドに結合する化合物を同定する工程
を包含し、それによって、心血管障害を処置し得る化合物を同定するための方法。
【請求項２】
心血管障害を処置し得る候補化合物を同定するための方法であって、以下：
ｉ）以下：
ａ）配列番号３、配列番号６または配列番号９のアミノ酸配列と少なくとも９５％同一なアミノ酸配列を含むポリペプチド；
ｂ）配列番号１、配列番号２、配列番号４、配列番号５、配列番号７または配列番号８のヌクレオチド配列を含む核酸と少なくとも９５％同一なヌクレオチド配列を含む核酸分子によりコードされるポリペプチド；
ｃ）配列番号３、配列番号６または配列番号９のアミノ酸配列を含むポリペプチド；および
ｄ）配列番号１、配列番号２、配列番号４、配列番号５、配列番号７または配列番号８に示されるヌクレオチド配列によりコードされるポリペプチド
からなる群より選択されるポリペプチドを含有するサンプルと試験化合物とを、該試験化合物が該ポリペプチドの活性を調節するのに適切な条件下で合わせる工程；ならびに
ｉｉ）該試験化合物が、該ポリペプチドの該活性を調節する能力をアッセイする工程
を包含し、それによって、心血管障害を処置し得る化合物を同定する、方法。
【請求項３】
心血管障害を処置し得る化合物を同定するための方法であって、以下：
ｉ）以下：
ａ）配列番号１、配列番号２、配列番号４、配列番号５、配列番号７または配列番号８のヌクレオチド配列と少なくとも９５％同一なヌクレオチド配列を含む核酸分子；
ｂ）配列番号１、配列番号２、配列番号４、配列番号５、配列番号７または配列番号８のヌクレオチド配列を含む核酸分子；
ｃ）配列番号３、配列番号６または配列番号９のアミノ酸配列と少なくとも９５％同一なアミノ酸配列を含むポリペプチドをコードする核酸分子；および
ｄ）配列番号３、配列番号６または配列番号９のアミノ酸配列をコードする核酸分子
からなる群より選択される核酸分子を発現する細胞と試験化合物とを合わせる工程；ならびに
ｉｉ）該試験化合物が、該核酸分子の該発現を調節する能力をアッセイする工程
を包含し、それによって心血管障害を処置し得る化合物を同定する、方法。
【請求項４】
前記化合物が、低分子、ペプチドおよび抗体からなる群より選択される、請求項１または２に記載の方法。
【請求項５】
前記化合物が、アンチセンス核酸分子である、請求項３に記載の方法。
【請求項６】
前記ポリペプチドが、異種性のアミノ酸配列をさらに含む、請求項１または２に記載の方法。
【請求項７】
前記サンプルが、細胞または単離されたポリペプチドである、請求項１または２に記載の方法。
【請求項８】
前記細胞が、血管細胞である、請求項３に記載の方法。
【請求項９】
心血管障害を有するか、心血管障害を発症する危険のある被験体を同定するためのキットであって、該キットは、第１の増幅プライマーおよび第２の増幅プライマーを含み、該第１のプライマーは、配列番号１、配列番号２、配列番号４、配列番号５、配列番号７または配列番号８の少なくとも２５の連続するヌクレオチドを含み、そして該第２のプライマーは、配列番号１、配列番号２、配列番号４、配列番号５、配列番号７または配列番号８の相補体からの少なくとも２５の連続するヌクレオチドを含む、キット。
【請求項１０】
心血管障害を有するか、心血管障害を発症する危険のある被験体を同定するためのキットであって、該キットは、以下：
ａ）配列番号３、配列番号６または配列番号９のアミノ酸配列と少なくとも９５％同一なアミノ酸配列を含むポリペプチド；
ｂ）配列番号１、配列番号２、配列番号４、配列番号５、配列番号７または配列番号８のヌクレオチド配列を含む核酸と少なくとも９５％同一なヌクレオチド配列を含む核酸分子によりコードされるポリペプチド；
ｃ）配列番号３、配列番号６または配列番号９のアミノ酸配列を含むポリペプチド；および
ｄ）配列番号１、配列番号２、配列番号４、配列番号５、配列番号７または配列番号８に示されるヌクレオチド配列によりコードされるポリペプチド
からなる群より選択されるポリペプチド、および該ポリペプチドに選択的に結合し得る抗体を含む、キット。
【請求項１１】
前記心血管障害が、動脈硬化症、アテローム性動脈硬化症、心肥大、虚血再灌流損傷、再狭窄、動脈炎症、血管壁再構築、冠状微小塞栓症、大動脈屈曲、冠状動脈結紮、脈管心疾患、アンギナ、高血圧症、冠状動脈疾患、冠状動脈痙攣および虚血性疾患からなる群より選択される、請求項９または１０に記載のキット。
【請求項１２】
請求項１、２または３で同定された化合物を含む、心血管障害を有する被験体を処置するための薬学的組成物。
【請求項１３】
前記心血管障害が、動脈硬化症、アテローム性動脈硬化症、心肥大、虚血再灌流損傷、再狭窄、動脈炎症、血管壁再構築、冠状微小塞栓症、大動脈屈曲、冠状動脈結紮、脈管心疾患、アンギナ、高血圧症、冠状動脈疾患、冠状動脈痙攣および虚血性疾患からなる群より選択される、請求項１２に記載の薬学的組成物。
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
下記工程：
ａ）デフィブロチド、プラスミンおよび、プラスミンとの反応によって測定可能な生成物を提供するところの、該プラスミンに特異的な基質を接触させる工程、および
ｂ）生成した生成物の量を経時的に測定する工程
を含む、デフィブロチドの生物学的活性を決定する方法。
【請求項２】
プラスミンが哺乳類プラスミンである、請求項１記載の方法。
【請求項３】
プラスミンがヒトプラスミンである、請求項２記載の方法。
【請求項４】
プラスミンに特異的な基質が下記式の化合物：
Ａ１−Ａ２−Ａ３−Ｘ
［式中、Ａ1およびＡ2は非極性アミノ酸であり、Ａ3はリシンまたはアルギニンであり、Ｘは測定可能な生成物である。］である、請求項１〜３のいずれか１項記載の方法。
【請求項５】
測定可能な生成物Ｘがパラ−ニトロアニリンおよび２−ナフチルアミンから選択される、請求項４記載の方法。
【請求項６】
プラスミンのための基質がＨ−Ｄ−バリル−Ｌ−ロイシル−Ｌ−リシン−ｐ−ニトロアニリンである、請求項４記載の方法。
【請求項７】
プラスミンが０．００６４〜０．０５０Ｉ．Ｕ．／ｍｌの濃度を有し、プラスミンのための基質が２．５〜３．５ｍＭの濃度を有する、請求項１〜６のいずれか１項記載の方法。
【請求項８】
プラスミンの濃度が０．０１２５Ｉ．Ｕ．／ｍｌであり、プラスミンのための基質の濃度が３ｍＭである、請求項７記載の方法。
【請求項９】
測定可能な生成物Ｘが分光測光法によって測定される、請求項１〜８のいずれか１項記載の方法。
【請求項１０】
反応媒体が、７〜８のｐＨに緩衝された水性溶液である、請求項１〜９のいずれか１項記載の方法。
【請求項１１】
反応媒体が、ｐＨ７．４に緩衝された水性溶液である、請求項１０記載の方法。
【請求項１２】
系の温度が３５〜３９℃で維持される、請求項１〜１１のいずれか１項記載の方法。
【請求項１３】
系の温度が３７℃で維持される、請求項１２記載の方法。
【請求項１４】
プラスミンのための基質の濃度が０．３〜４ｍＭである、請求項１〜１３のいずれか１項記載の方法。
【請求項１５】
プラスミンのための基質の濃度が２．５〜３．５ｍＭである、請求項１４記載の方法。
【請求項１６】
プラスミンのための基質の濃度が３ｍＭである、請求項１５記載の方法。
【請求項１７】
下記段階：
ａ）標品および試験用の両方のデフィブロチドのサンプルの各々に関して、酵素反応の間の測定可能な生成物Ｘの放出速度を決定する段階、
ｂ）上記放出速度を、対応するデフィブロチド濃度と、数学的におよび／またはグラフを用いて相関させる段階、および
ｃ）デフィブロチドの試験サンプルの生物学的活性を得る段階
を含む、請求項１〜１６のいずれか１項記載のデフィブロチドの生物学的活性を決定する方法。
【請求項１８】
ａ）測定された量の、プラスミンのための基質、および
ｂ）測定された量のプラスミン
を少なくとも含み、プラスミンに特異的な基質をプラスミン１単位当たり２０〜３０ｍｇ含む、請求項１〜１７のいずれか１項記載のデフィブロチドの生物学的活性を決定する方法のためのキット。
【請求項１９】
プラスミンのための基質がＨ−Ｄ−Ｖａｌ−Ｌｅｕ−Ｌｙｓ−ｐＮＡであり、プラスミンがヒトプラスミンである、請求項１８に記載のキット。
【請求項２０】
プラスミンに特異的な基質をプラスミン１単位当たり２５ｍｇ含む、請求項１８または１９記載のキット。
【請求項２１】
請求項１〜１７のいずれか１項記載の方法に付されるとき、０．５、２．０および８．０μｇ／ｍｌの濃度で夫々図３、４および５に示されるパラニトロアニリンの放出動力学を示すことを特徴とするデフィブロチド、ここで、上記放出動力学は下記実験条件下で決定される。
ヒトプラスミン濃度：０．０１２５  Ｉ．Ｕ．／ｍｌ；
基質：Ｈ−Ｄ−バリル−Ｌ−ロイシル−Ｌ−リシン−ｐ−ニトロアニリン；
基質濃度：３ｍＭ；
緩衝剤：トリス（ヒドロキシメチル）アミノメタン塩酸塩、ｐＨ７．４；
反応温度：３７℃；
分光測光波長：４０５ｎｍ
【請求項２２】
下記実験条件：
ヒトプラスミン濃度：０．０１２５  Ｉ．Ｕ．／ｍｌ；
基質：Ｈ−Ｄ−バリル−Ｌ−ロイシル−Ｌ−リシン−ｐ−ニトロアニリン；
基質濃度：３ｍＭ；
緩衝剤：トリス（ヒドロキシメチル）アミノメタン塩酸塩、ｐＨ７．４；
反応温度：３７℃；
分光測光波長：４０５ｎｍ
の下で請求項１〜１７のいずれか１項記載の方法に付されるとき、下記式に従う、パラニトロアニリン（ｐＮＡ）の放出動力学を生じることを特徴とするデフィブロチド。
ｐＮＡ（μＭ／分）＝ａ＋ｂｌｏｇＸ
ここで、
ａ＝０．６９０８±０．０２９１
ｂ＝０．３１４０±０．０４３７
Ｘ＝デフィブロチドの濃度（μｇ／ｍｌ）
【手続補正２】
【補正対象書類名】明細書
【補正対象項目名】００１２
【補正方法】変更
【補正の内容】
【００１２】
従って、本発明は、デフィブロチドのサンプルの特異的生物学的活性を決定するための方法に関し、該方法は、下記工程：
ａ）デフィブロチド、プラスミンおよび、プラスミンとの反応によって測定可能な生成物を提供するところの、該プラスミンに特異的な基質を接触させる工程、および
ｂ）生成した生成物の量を経時的に測定する工程
を含む。
【手続補正３】
【補正対象書類名】明細書
【補正対象項目名】００２８
【補正方法】変更
【補正の内容】
【００２８】
本発明の決定法は、他の酵素的方法と同様に、媒体のｐＨに対して感受性である。事実、酵素系が不活性化されるであろうところの極端なｐＨでは一般に適用され得ない。また、測定が行われている間の任意の時に媒体のｐＨが変動を受けないことが好ましく、従って、溶液は一般に、プラスミン測定試験において一般に使用されるものから選択される緩衝剤系によって処理される。適する緩衝剤系は、例えば、リン酸緩衝液、クエン酸緩衝液、またはトリス（ヒドロキシメチル）アミノメタン塩酸塩（ＴＲＩＳ）緩衝液であり得る。操作は好ましくは、ＴＲＩＳの存在下で行われる。本発明方法では、媒体のｐＨを約７〜８の範囲、より好ましくは約７．４で維持することが通常好ましい。さらに、緩衝剤系の濃度を１０〜２００ｍＭの範囲、好ましくは約５０ｍＭで維持することが好ましい。
【手続補正４】
【補正対象書類名】図面
【補正対象項目名】図５
【補正方法】変更
【補正の内容】
【図５】
2005512547.tif 000001
【手続補正書】
【提出日】平成17年9月27日(2005.9.27)
【手続補正１】
【補正対象書類名】特許請求の範囲
【補正対象項目名】全文
【補正方法】変更
【補正の内容】
【特許請求の範囲】
【請求項１】
細胞によって産生される、１つまたは複数のサイトカインおよび／または１つまたは複数のＣＣケモカインおよび／またはＮＯのレベルを、対応する全長熱ショックタンパク質によってもたらされるレベルよりも増加させることができる、熱ショックタンパク質断片。
【請求項２】
ヒト熱ショックタンパク質断片である、請求項１に記載の熱ショックタンパク質断片。
【請求項３】
前記熱ショックタンパク質断片は、対応する全長熱ショックタンパク質の大きさの８０％未満である、請求項１または２に記載の熱ショックタンパク質断片。
【請求項４】
ヒトＨＳＰ７０の断片である、請求項１ないし３のいずれか１項に記載の熱ショックタンパク質断片。
【請求項５】
前記断片がヒト型結核菌（Mycobacterium tuberculosis）ＨＳＰ７０のアミノ酸残基３５９〜６２５または３５９〜６１０に対して少なくとも４０％の相同性を有する、請求項１ないし３のいずれか１項に記載の熱ショックタンパク質断片。
【請求項６】
前記断片がヒト型結核菌ＨＳＰ７０のアミノ酸残基３５９〜４５９に対して少なくとも６０％の相同性を有する、請求項１ないし３のいずれか１項に記載の熱ショックタンパク質断片。
【請求項７】
前記断片がヒト型結核菌ＨＳＰ７０のアミノ酸残基３９６〜４２６に対して少なくとも８０％の相同性を有する、請求項１ないし３のいずれか１項に記載の熱ショックタンパク質断片。
【請求項８】
ヒト型結核菌ＨＳＰ７０のアミノ酸残基３５９〜６２５、３５９〜６１０、３５９〜４５９、または３９６〜４２６からなる熱ショックタンパク質断片。
【請求項９】
前記１つまたは複数のサイトカインは、インターロイキンおよびＴＮＦ−αからなる群から選択される、請求項１ないし８のいずれか１項に記載の熱ショックタンパク質断片。
【請求項１０】
前記１つまたは複数のケモカインは、ＲＡＮＴＥＳ、ＭＩＰ−α、またはＭＩＰ−βである、請求項１ないし９のいずれか１項に記載の熱ショックタンパク質断片。
【請求項１１】
前記サイトカインは、ＩＬ−１２および／またはＴＮＦ−αである、請求項９に記載の熱ショックタンパク質断片。
【請求項１２】
ＣＤ４０結合部位を含む、請求項１ないし１１のいずれか１項に記載の熱ショックタンパク質断片。
【請求項１３】
１つまたは複数の異種ペプチドをさらに含む、請求項１ないし１２のいずれか１項に記載の熱ショックタンパク質断片。
【請求項１４】
前記１つまたは複数の異種ペプチドは免疫原性ペプチドである、請求項１３に記載の熱ショックタンパク質断片。
【請求項１５】
請求項１ないし１４のいずれか１項に記載の熱ショックタンパク質断片をコードする単離された核酸分子。
【請求項１６】
請求項１５の核酸分子を含むベクター。
【請求項１７】
請求項１６のベクターを含む宿主細胞。
【請求項１８】
請求項１ないし１４のいずれか１項の熱ショックタンパク質断片または請求項１５の核酸を、薬学的に許容可能な賦形剤、担体、アジュバントまたは媒体と組み合わせて含む、医薬組成物。
【請求項１９】
疾患の治療用または予防用医薬の製造における、請求項１ないし１４のいずれか１項の熱ショックタンパク質断片の使用。
【請求項２０】
前記疾患は、微生物感染、ウィルス感染、免疫系疾患または癌である、請求項１９の使用。
【請求項２１】
請求項１ないし１４のいずれか１項の熱ショックタンパク質断片を含む、疾患の治療用または予防用薬剤。
【請求項２２】
前記疾患は、微生物感染、ウィルス感染、免疫系疾患または癌である、請求項２１の薬剤。
【請求項２３】
請求項１ないし１４のいずれか１項の熱ショックタンパク質断片と細胞をインビトロにおいて接触させることを含む、１つまたは複数のサイトカインおよび／または１つまたは複数のＣＣケモカインおよび／またはＮＯの産生を、対応する全長熱ショックタンパク質によってもたらされる産生レベルよりも増加させる方法。
【請求項２４】
請求項１ないし１４のいずれか１項の熱ショックタンパク質断片を含む、１つまたは複数のサイトカインおよび／または１つまたは複数のＣＣケモカインおよび／またはＮＯの産生を、対応する全長熱ショックタンパク質によってもたらされるレベルよりも増加させるための薬剤。
【請求項２５】
請求項１ないし１４のいずれか１項の熱ショックタンパク質断片を含む、免疫応答をＴｈ１応答に分極させるための薬剤。
【請求項２６】
ワクチンと組み合わせた、請求項１ないし１４のいずれか１項に記載の熱ショックタンパク質断片。
【請求項２７】
前記熱ショックタンパク質断片をワクチンと組み合わせて用いる、請求項２４または２５に記載の薬剤。
【請求項２８】
前記熱ショックタンパク質ＨＳＰ７０のＣ末端領域のアミノ酸残基３５９〜６２５を含むポリペプチド。
【請求項２９】
前記熱ショックタンパク質ＨＳＰ７０のＣ末端領域のアミノ酸残基３５９〜６１０を含むポリペプチド。
【請求項３０】
請求項２８または２９に記載のポリペプチドを含むアジュバント。
【請求項３１】
抗原と共有結合または非共有結合した、請求項３０に記載のアジュバント。
【請求項３２】
請求項３１に記載のアジュバントを含むワクチン。
【請求項３３】
請求項３１に記載のアジュバントを含む抗ＨＩＶワクチン。
【請求項３４】
請求項２８または２９に記載のポリペプチドをコードするＤＮＡ分子。
【請求項３５】
配列表の配列番号１６に示される塩基配列のうち、塩基番号１〜８０１または塩基番号１〜７５６で表される塩基配列を含む、請求項３４に記載のＤＮＡ分子。
【手続補正２】
【補正対象書類名】明細書
【補正対象項目名】配列表
【補正方法】追加
【補正の内容】
【配列表】
2005512518000001.app
【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】
患者が心血管障害を有するか否かを決定するための方法であって、
患者由来の核酸試料中に第一の心血管障害関連アリルを検出する、ここにおいて、第一の心血管障害関連アリルの検出は、患者が心血管障害を有することを示唆する
ことを含む、前記方法。
【請求項２】
第一の心血管障害関連アリルが、ＩＬ−１Ａ（＋４８４５）のアリル２、ＩＬ−１Ｂ（＋３９５４）のアリル２、ＩＬ−１Ｂ（−５１１）のアリル１、ＩＬ−１ＲＮ（＋２０１８）のアリル１、及び、上記アリルと連鎖不平衡にあるアリルからなるグループから選択される、請求項１の方法。
【請求項３】
第一の心血管障害関連アリルが、ＩＬ−１Ａ（＋４８４５）のアリル１、ＩＬ−１Ｂ（＋３９５４）のアリル１、ＩＬ−１Ｂ（−５１１）のアリル２、ＩＬ−１ＲＮ（＋２０１８）のアリル２、及び、上記アリルと連鎖不平衡にあるアリルからなるグループから選択される、請求項１の方法。
【請求項４】
第一の心血管障害関連アリルが、ＩＬ−１Ａ（＋４８４５）のアリル１、ＩＬ−１Ｂ（＋３９５４）のアリル１、ＩＬ−１Ｂ（−５１１）のアリル１、ＩＬ−１ＲＮ（＋２０１８）のアリル１、及び、上記アリルと連鎖不平衡にあるアリルからなるグループから選択される、請求項１の方法。
【請求項５】
前記核酸試料中に第二の心血管障害関連アリルを検出する、ここにおいて、第二の心血管障害関連アリルの検出は、患者が心血管障害を有することを示唆する
ことをさらに含む、請求項１の方法。
【請求項６】
第一の心血管障害関連アリルが、ＩＬ−１Ａ（＋４８４５）のアリル２、ＩＬ−１Ｂ（＋３９５４）のアリル２、ＩＬ−１Ａ（＋４８４５）のアリル２と連鎖不平衡にあるアリル、及びＩＬ−１Ｂ（＋３９５４）のアリル２と連鎖不平衡にあるアリルからなるグループから選択され、そして、
第二の心血管障害関連アリルが、ＩＬ−１Ｂ（−５１１）のアリル１、ＩＬ−１ＲＮ（＋２０１８）のアリル１、ＩＬ−１Ｂ（−５１１）のアリル１と連鎖不平衡にあるアリル、及びＩＬ−１ＲＮ（＋２０１８）のアリル１と連鎖不平衡にあるアリルからなるグループから選択される
請求項５の方法。
【請求項７】
第一の心血管障害関連アリルが、ＩＬ−１Ａ（＋４８４５）のアリル１、ＩＬ−１Ｂ（＋３９５４）のアリル１、ＩＬ−１Ａ（＋４８４５）のアリル１と連鎖不平衡にあるアリル、及びＩＬ−１Ｂ（＋３９５４）のアリル１と連鎖不平衡にあるアリルからなるグループから選択され、そして、
第二の心血管障害関連アリルが、ＩＬ−１Ｂ（−５１１）のアリル２、ＩＬ−１ＲＮ（＋２０１８）のアリル２、ＩＬ−１Ｂ（−５１１）のアリル２と連鎖不平衡にあるアリル、及びＩＬ−１ＲＮ（＋２０１８）のアリル２と連鎖不平衡にあるアリルからなるグループから選択される
請求項５の方法。
【請求項８】
第一の心血管障害関連アリルが、ＩＬ−１Ａ（＋４８４５）のアリル１、ＩＬ−１Ｂ（＋３９５４）のアリル１、ＩＬ−１Ａ（＋４８４５）のアリル１と連鎖不平衡にあるアリル、及びＩＬ−１Ｂ（＋３９５４）のアリル１と連鎖不平衡にあるアリルからなるグループから選択され、そして、
第二の心血管障害関連アリルが、ＩＬ−１Ｂ（−５１１）のアリル１、ＩＬ−１ＲＮ（＋２０１８）のアリル１、ＩＬ−１Ｂ（−５１１）のアリル１と連鎖不平衡にあるアリル、及びＩＬ−１ＲＮ（＋２０１８）のアリル１と連鎖不平衡にあるアリルからなるグループから選択される
請求項５の方法。
【請求項９】
前記検出工程が、以下の
ａ）アリル特異的オリゴヌクレオチドハイブリダイゼーション；
ｂ）サイズ分析；
ｃ）配列決定；
ｄ）ハイブリダイゼーション；
ｅ）５’ヌクレアーゼ消化；
ｆ）一本鎖コンフォメーション多型；
ｇ）アリル特異的ハイブリダイゼーション；
ｈ）プライマー特異的伸長；及び
ｊ）オリゴヌクレオチドライゲーション分析
からなるグループから選択される、請求項１の方法。
【請求項１０】
核酸試料を増幅することをさらに含む、請求項１の方法。
【請求項１１】
核酸試料の増幅が、配列番号１及び２；３及び４；５及び６；７及び８；並びに９及び１０のいずれかからなるグループから選択されるプライマー対を用いる、請求項１０の方法。
【請求項１２】
サイズ分析が制限酵素消化によって先行される、請求項９の方法。
【請求項１３】
前記制限酵素消化が、Ａｌｕ  Ｉ、Ｍｓｐ  Ｉ、Ｎｃｏ  Ｉ、Ｆｎｕ  ４ＨＩ、Ａｖａ  Ｉ、Ｂｓｕ  ３６Ｉ及びＴａｑ  Ｉからなるグループから選択される制限酵素を使用する、請求項１２の方法。
【請求項１４】
患者における心血管障害の存在を決定するためのキットであって、
ＩＬ−１Ａ（＋４８４５）のアリル、ＩＬ−１Ｂ（＋３９５４）のアリル、ＩＬ−１Ｂ（−５１１）のアリル、ＩＬ−１ＲＮ（＋２０１８）のアリル、及び、上記アリルと連鎖不平衡にあるアリルを検出するための手段；及び
ＩＬ−１Ａ（＋４８４５）のアリル、ＩＬ−１Ｂ（＋３９５４）のアリル、ＩＬ−１Ｂ（−５１１）のアリル、ＩＬ−１ＲＮ（＋２０１８）のアリル、及び、上記アリルと連鎖不平衡にあるアリルからなるグループから選択されるアリルに５’または３’でハイブリダイズする第一プライマーオリゴヌクレオチド。
【請求項１５】
ＩＬ−１Ａ（＋４８４５）のアリル、ＩＬ−１Ｂ（＋３９５４）のアリル、ＩＬ−１Ｂ（−５１１）のアリル、ＩＬ−１ＲＮ（＋２０１８）のアリル、及び、上記アリルと連鎖不平衡にあるアリルからなるグループから選択されるアリルに５’または３’でハイブリダイズする第二プライマーオリゴヌクレオチドをさらに含む、請求項１４のキット。
【請求項１６】
アリルを増幅するためにアリルの３’又は５’に各々ハイブリダイズする増幅用プライマーオリゴヌクレオチドを付加的に含む、請求項１４のキット。
【請求項１７】
前記第一プライマー、前記第二プライマー及び増幅用プライマーオリゴヌクレオチドが、約５０及び約１０００塩基対の間の範囲中の領域にハイブリダイズする、請求項１６のキット。
【請求項１８】
前記第一プライマー、前記第二プライマー及び増幅用プライマーオリゴヌクレオチドが、配列番号１−１０のいずれかからなるグループから選択される、請求項１６のキット。
【請求項１９】
検出手段が、以下の
ａ）アリル特異的オリゴヌクレオチドハイブリダイゼーション；
ｂ）サイズ分析；
ｃ）配列決定；
ｄ）ハイブリダイゼーション；
ｅ）５’ヌクレアーゼ消化；
ｆ）一本鎖コンフォメーション多型；
ｇ）アリル特異的ハイブリダイゼーション；
ｈ）プライマー特異的伸長；及び
ｊ）オリゴヌクレオチドライゲーション分析
からなるグループから選択される、請求項１４のキット。
【請求項２０】
増幅手段をさらに含む、請求項１４のキット。
【請求項２１】
さらに対照を含む、請求項１４のキット。
【手続補正書】
【提出日】平成18年9月12日(2006.9.12)
【手続補正１】
【補正対象書類名】明細書
【補正対象項目名】特許請求の範囲
【補正方法】変更
【補正の内容】
【特許請求の範囲】
【請求項１】  （ａ）図１のアミノ酸配列を含んで成る重鎖可変領域を有するモノクローナル抗体；
（ｂ）図２のアミノ酸配列を含んで成るカッパ軽鎖可変領域を有するモノクローナル抗体；
（ｃ）図１のアミノ酸配列を含んで成る重鎖可変領域および図２のアミノ酸配列を含んで成るカッパ軽鎖可変領域を有するモノクローナル抗体；
（ｄ）図１のアミノ酸配列に対して少なくとも70％の同一性を有する重鎖可変領域を有するモノクローナル抗体；
（ｅ）図２のアミノ酸配列に対して少なくとも70％の同一性を有する軽鎖可変領域を有するモノクローナル抗体
から成る群から選択される可変領域を有するモノクローナル抗体。
【請求項２】  キメラ ヒト−マウス抗体である、請求項１に記載の抗体。
【請求項３】  請求項１または２に記載の抗体のアミノ酸配列をコードする核酸配列。
【請求項４】  請求項３に記載の核酸配列を有する発現ベクター。
【請求項５】  プラスミドpKN110と命名された請求項４に記載の発現ベクター。
【請求項６】  請求項４または５に記載の発現ベクターでトランスフェクトされた細胞。
【請求項７】  請求項１に記載の抗体を生産するハイブリドーマ細胞系。
【請求項８】  検査した個体が高い確率で悪性疾患を有することを同定するためのアッセイであって：
（ａ）該個体由来の体液サンプルを準備し；
（ｂ）該サンプルを請求項１または２に記載の少なくとも１つの抗体と接触させ；
（ｃ）該抗体が該サンプル中のＴ-細胞に結合する程度を測定し；そして
（ｄ）（ｃ）の程度を、抗体が健康な個体由来のサンプル中のＴ-細胞に結合する程度と比較することを含んで成り、上記の２つの結合程度間の有意差は該検査した個体が高い確率で悪性疾患を有することを示す、
上記アッセイ。
【請求項９】  工程（ｂ）の前に、末梢血単核細胞（PBMC）を分離し、該分離したPBMCを次に工程（ｃ）で該請求項１または２に記載の少なくとも１つの抗体と接触させる、請求項８に記載のアッセイ。
【請求項１０】  検査した個体が高い確率で特別な悪性疾患を有することを同定するためのアッセイであって：
（ａ）該個体由来の体液サンプルを準備し；
（ｂ）該サンプルを請求項１または２のいずれかに記載の抗体と接触させ；
（ｃ）該抗体が該サンプル中のＴ-細胞に結合する程度を測定し；そして
（ｄ）（ｃ）の程度を、抗体が健康な個体由来のＴ-細胞に結合する程度と比較することを含んで成り、結合程度間の有意差の存在は該検査した個体が高い確率で悪性疾患を有することを示し、ここで該個体のＴ-細胞への結合の程度が健康な個体のＴ-細胞における抗体の結合レベルよりも高くても低くても、検査した個体が高い確率で特別な種類の悪性疾患を有することを示す、
上記アッセイ。
【請求項１１】  工程（ｂ）の前に、PBMCを該サンプルから分離し、該PBMCを次に工程（ｃ）で該抗体と接触させる、請求項１０に記載のアッセイ。
【請求項１２】  抗体が上記の検査した個体由来のＴ-細胞に結合する程度が、同じ抗体が健康な個体のＴ-細胞に結合する程度よりも高い、請求項１０または１１に記載のアッセイ。
【請求項１３】  抗体が上記の検査した個体由来のＴ-細胞に結合する程度が、同じ抗体が健康な個体のＴ-細胞に結合する程度よりも低い、請求項１０または１１に記載のアッセイ。
【請求項１４】  上記の特別な悪性疾患が胸部ガンである、請求項１３に記載のアッセイ。
【請求項１５】  医薬的に許容され得るキャリアーと一緒に請求項１または２に記載の１以上の抗体を含んで成る医薬組成物。
【請求項１６】  上記抗体の特異的結合パートナーの結合物、検出可能なシグナルを生成することができる標識および使用説明書と一緒に請求項１または２に記載の１以上の抗体を含んで成るキット。
【請求項１７】  個体の悪性疾患を処置するための医薬組成物を調製するための請求項１または２に記載のいずれかの抗体の使用。
【手続補正書】
【提出日】平成18年10月5日(2006.10.5)
【手続補正１】
【補正対象書類名】明細書
【補正対象項目名】特許請求の範囲
【補正方法】変更
【補正の内容】
【特許請求の範囲】
【請求項１】  再閉鎖可能なファスナーであって、
両面（４０、４２）、両側縁（４４、４６）および少なくとも１つの端（６０）を有するとともに、該両面の少なくとも一方を含む平面において該両側縁の少なくとも一方から直交方向へ延びる複数の不連続の離間した突起（３２）を有する挿入要素（２８）と、
中心長手軸線（５０）、両面（５２、５４）、両側縁（５６、５８）および少なくとも１つの端（６０）を有するとともに、該両面の一方における該両側縁の少なくとも一方から略直交方向へ延びる複数の不連続の離間した突起（３４）を有する保持要素（２６）とを具備し、
前記保持要素の少なくとも１つの前記突起は、該突起からほぼ前記中心長手軸線に向かって略直交方向へ延びるフック部分（６４）を含む自由端（６２）を有し、
前記挿入要素の前記複数の離間した突起と、前記保持要素の前記複数の離間した突起とは、該保持要素の前記フック部分が該挿入要素の隣接表面に対向する状態で、互いに係合できること、
を特徴とする再閉鎖可能なファスナー。
【請求項２】  前記挿入要素と前記保持要素とは、該挿入要素を該保持要素に重ねて適所に押すことができるとともに、剥離動作によって該挿入要素を該保持要素から脱離することができるように、作製される、請求項１に記載の再閉鎖可能なファスナー。
【請求項３】  互いに係合した前記挿入要素と前記保持要素との相互作用によって、前記剥離動作による脱離に必要な力の少なくとも１．５倍の剪断力に抵抗する剪断保持能力が付与されている、請求項１または２に記載の再閉鎖可能なファスナー。
【請求項４】  前記挿入要素の前記複数の突起と前記保持要素の前記複数の突起とが互いに係合可能な状態で、該挿入要素の前記両側縁が、該保持要素の該複数の突起に接触する、請求項１〜３のいずれか１項に記載の再閉鎖可能なファスナー。
【手続補正書】
【提出日】平成18年9月14日(2006.9.14)
【手続補正１】
【補正対象書類名】明細書
【補正対象項目名】特許請求の範囲
【補正方法】変更
【補正の内容】
【特許請求の範囲】
【請求項１】  物品を研磨加工する方法であって、
研磨製品の複数の位置に機械認識可能なパターンを具備する前記研磨製品を準備するステップと、
前記物品に関して前記研磨製品を移動するステップと、
前記研磨製品の複数の位置に前記機械認識可能なパターンを読み取るステップと、
前記物品の研磨加工中に、前記機械認識可能なパターンを使用して、前記物品に関して前記研磨製品の運動を制御するステップとを備え、
さらに前記研磨加工方法のパラメータが１つまたはそれ以上の研磨製品速度、温度、前記研磨製品と前記物品との間に画成された張力または接触圧力を含み、前記物品の研磨加工方法のパラメータを最適化するステップを任意的に具備する、方法。
【請求項２】  物品を研磨加工するための研磨製品であって、
第１の表面および第２の表面を有する基部層と、
前記第１の表面上に配備された研磨材料と、
前記物品の研磨加工中、前記物品に対する前記研磨材料の運動を制御するための制御信号を発生させるのに使用するための前記第１の表面または前記第２の表面のいずれか一方または両方に複数の位置で提供された周期的位置情報を含む機械認識可能なパターンとを具備する、研磨製品。
【請求項３】  前記第２の表面は、前記第１の表面と実質的に直交する向きに配置される、請求項２に記載の製品。
【請求項４】  前記研磨製品は、連続ウェブ構造、ベルト式構造または離散板状構造を有する、請求項２に記載の製品。
【請求項５】  研磨製品は、パッドおよび研磨スラリ、ラップ仕上げまたは磨き仕上げフィルム、または模様付きウェブの１つを具備する、請求項２に記載の製品。
【請求項６】  前記機械認識可能なパターンは、前記第１の表面または前記第２の表面のいずれか一方または両方に付着されたラベル上に提供される、請求項２に記載の製品。
【請求項７】  物品を研磨加工する装置であって、
研磨製品の複数の位置に、１つまたはそれ以上の割出し情報、サーボ情報、アライメント情報または研磨製品識別情報を備える機械認識可能なパターンを任意的に具備する前記研磨製品を支持する支持体と、
前記研磨製品と接触および非接触状態に前記物品を位置決めするための取付固定具と、
前記物品に対して前記研磨製品を移動させるためのアクチュエータと、
前記研磨製品の複数の位置に前記機械認識可能なパターンを検出する検出器と、を備え、
さらに、前記機械認識可能なパターンを使用して前記物品に対する前記研磨製品の運動を制御するコントローラとを任意的に具備し、
前記物品が、シリコン物品、ゲルマニウム物品、ガリウムヒ素物品、ガラス物品、セラミック物品、複合物品、木製物品、または金属物品、または半導体ウェハを具備する、
前記研磨製品は、パッドおよび研磨スラリ、ラップ仕上げまたは磨き上げフィルム、または模様付きウェブの１つを任意的に具備し、
前記検出器は、１つまたはそれ以上の電気的検出器、光学的検出器、機械的検出器または磁気的検出器を任意的に具備する、装置。
【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】  患者から採取した便試料を磁気共鳴スペクトル法に付すステップと、その結果得られたスペクトルを癌にかかっていない被験者から採取した便の磁気共鳴スペクトルと比較するステップとが備わっており、観察されたスペクトルの違いが癌の指標である、患者における結腸直腸腺腫および結腸直腸癌の存在を検出する方法。
【請求項２】  便試料が、２次元相関核磁気共鳴スペクトル法に付される請求項１に記載の方法。
【請求項３】  便試料が、1Ｈ対称化相関磁気共鳴スペクトル法に付される請求項２に記載の方法。
【請求項４】  便試料が、３６０1ＭＨｚ磁気共鳴スペクトル法に付される請求項２に記載の方法。
【請求項５】  患者の便の試料を回収するステップと、この試料を磁気共鳴スペクトル法に付すステップと、その結果得られたスペクトルを癌にかかっていない被験者から採取した便の磁気共鳴スペクトルと比較するステップとが備わっており、観察されたスペクトルの違いが癌の指標である、患者の体内における結腸直腸腺腫および結腸直腸癌の存在を検出する方法。
【請求項６】  便試料が、２次元相関核磁気共鳴スペクトル法に付される請求項５に記載の方法。
【請求項７】  便試料が、1Ｈ対称化相関磁気共鳴スペクトル法に付される請求項５に記載の方法。
【請求項８】  便試料が、３６０1ＭＨｚ対称化相関磁気共鳴スペクトル法に付される請求項５に記載の方法。
【請求項９】  便試料の液状懸濁物を作るステップと、この懸濁物を磁気共鳴スペクトル法に付すステップとを含む、請求項１から８のいずれか１項に記載の方法。
【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】  入力信号に応答して電磁応答信号を放出するよう構成される複数の検査部を含むマイクロ電子回路に信号を送信するシステムであって、
前記マイクロ電子回路に前記入力信号を無線で印加する信号源と、
テストベッドに据え付けられる前記マイクロ電子回路の前記複数の検査部から前記電磁応答信号を無線で受信する検査プローブと、
を備え、
前記複数の検査部のそれぞれが、前記複数の検査部のそれぞれに対応付けられる各周波数を用いて前記電磁応答信号を送信し、前記検査プローブが前記電磁応答を検出するよう構成された電磁受信器を備えるシステム。
【請求項２】  前記電磁応答信号が無線周波数信号である請求項１に記載のシステム。
【請求項３】  前記電磁応答信号が赤外線信号である請求項１に記載のシステム。
【請求項４】  前記電磁応答信号がコヒーレント光信号である請求項１に記載のシステム。
【請求項５】  前記プローブに接続され、前記プローブにより受信される前記電磁応答信号を分析するコンピュータを更に備える請求項１に記載のシステム。
【請求項６】  前記プローブに接続され、前記プローブにより受信される前記無線周波数応答信号を分析するコンピュータを更に備える請求項２に記載のシステム。
【請求項７】  前記信号源が、前記マイクロ電子回路に対して前記プローブを通して電磁検査信号を更に無線で送信する請求項１に記載のシステム。
【請求項８】  入力信号に応答して電磁放射を放出するよう構成される複数の検査部を含む集積回路を検査する検査装置であって、
前記入力信号を前記集積回路に無線で印加して、前記入力信号により、前記複数の検査部のそれぞれが、前記複数の検査部のそれぞれに対応付けられる各周波数を用いて電磁放射を送信するように、前記集積回路の前記複数の検査部に前記電磁放射を放出させる信号源と、
前記集積回路によって放出される前記電磁放射を検出するよう構成される電磁放射受信器と、
前記電磁放射受信器に接続され、前記集積回路によって放出される前記電磁放射を分析するコンピュータと
を備える検査装置。
【請求項９】  前記電磁放射が無線周波数放射である請求項８に記載の検査装置。
【請求項１０】  前記電磁放射が赤外線放射である請求項８に記載の検査装置。
【請求項１１】  前記電磁放射がコヒーレント光放射である請求項８に記載の検査装置。
【請求項１２】  集積回路と前記集積回路を検査する検査装置との組合せであって、
複数の検査回路部を内蔵し、第１の電気的効果が前記検査回路部のそれぞれにおいて生じているときに、前記検査回路部のそれぞれが、前記検査回路部のそれぞれに対応付けられる各周波数を用いて電磁放射を送信するように、前記複数の検査回路部が前記電磁放射を放出する集積回路と、
前記集積回路の前記複数の検査回路部により放出される前記電磁放射を無線で検出する電磁放射受信器、および前記電磁放射受信器により検出される前記電磁放射を分析する分析器を含む検査装置と、
を備える組合せ。
【請求項１３】  前記電磁放射が無線周波数放射である請求項１２に記載の組合せ。
【請求項１４】  前記電磁放射が赤外線放射である請求項１２に記載の組合せ。
【請求項１５】  前記電磁放射がコヒーレント光放射である請求項１２に記載の組合せ。